(57)【特許請求の範囲】
【請求項１】
梁上に、梁の長手方向に平行して断面が矩形の取付桁を固定し、この取付桁の上にタイトフレームを溶接する構造に使用する養生装置であって、
容器と車輪とより構成し、
梁上に搭載して梁上を移動できる容器は、
底板と両側の壁板と一方の妻板で構成し、上面と他方の妻板を開放した箱体であり、
底板には、取付桁が露出できる開口部を備え、
底板の下面には、梁上面を走行する梁上車輪と、
取付桁の側面を走行する側面車輪とを備え、
妻板には、取付桁の上面を走行する桁上車輪を備えて構成したことを特徴とする、
タイトフレーム溶接火花の養生装置。
【請求項２】
請求項１記載の装置を使用し、
梁上車輪と、桁上車輪で梁の軸方向に走行し、
側面車輪で梁上の走行方向を維持し、
底板の開口部から露出した取付桁の上面にタイトフレームを溶接するに際して、
発生する火花を容器で受けることを特徴とする、
タイトフレーム溶接火花の養生方法。
【発明の詳細な説明】
【技術分野】
【０００１】
Ｈ鋼など天井の梁に折板屋根を取り付ける場合に、図４に示すように梁ａの上にタイトフレームｂと称する凹凸が連続した帯板を溶接して、その上に折板屋根を取り付ける。
本発明はそのようなタイトフレームｂの溶接に際して、溶接火花の周囲への飛散を防止するための養生装置と養生方法に関するものである。
【背景技術】
【０００２】
従来から建築中における溶接火花の飛散を防止するための養生装置は、特許文献１に示すように各種のものが開発されている。
【先行技術文献】
【特許文献】
【０００３】
【特許文献１】特開２０００−２９１８８３号公報
【発明の概要】
【発明が解決しようとする課題】
【０００４】
前記したような従来の溶接火花の養生装置は、一定の位置での溶接における火花の養生を対象にしたものである。
しかし、本願発明の対象は、長い梁の上に連続してタイトフレームを溶接してゆくものである。
そのために従来の一定箇所での養生を前提とした養生装置では移動が容易ではなく、そのまま転用することができない。
また溶接個所が多いと盛り替えに多くの時間を要し作業効率が低下する。
さらに簡単な防災シートで養生する場合にも、その都度、シートを展開し、取り外すという手数、時間が必要である。
またシートの場合には火花によって穴が開いてしまうからシート自体の交換も必要となり、広い大きな屋根工事では不経済である。
【課題を解決するための手段】
【０００５】
上記のような課題を解決する本発明のタイトフレーム溶接火花の養生装置は、梁上に梁の長手方向に平行して断面が矩形の取付桁を固定し、この取付桁の上にタイトフレームを溶接する構造に使用する養生装置であって、容器と車輪とより構成し、梁上に搭載して梁上を移動できる容器は、底板と両側の壁板と一方の妻板で構成し、上面と他方の妻板を開放した箱体であり、底板には、取付桁が露出できる開口部を備え、底板の下面には、梁上面を走行する梁上車輪と、取付桁の側面を走行する側面車輪とを備え、妻板には、取付桁の上面を走行する桁上車輪を備えて構成したことを特徴としたものである。
また本発明のタイトフレーム溶接火花の養生方法は、前記の装置を使用し、梁上車輪と、桁上車輪で梁の軸方向に走行し、側面車輪で梁上の走行方向を維持し、底板の開口部から露出した取付桁の上面にタイトフレームを溶接するに際して、発生する火花を容器で受けることを特徴としたものである。
【発明の効果】
【０００６】
本発明のタイトフレーム溶接火花の養生装置と養生方法は以上説明したようになるから次のような効果を得ることができる。
＜１＞  一定方向に長い距離を、同一の溶接作業を繰り返す場合に、溶接場所に沿って火花受け容器を移動することができるので、溶接個所ごとに養生装置を設置したり撤去する、という手間や時間を節約することができる。
＜２＞  溶接個所の側面、底面を完全に外部から遮断した容器を使用するから、火花が周囲に落下する危険性がない。
＜３＞  取付桁が梁上に設けられるので、梁が交叉する箇所も梁と支障をきたさず、養生装置を取り外さないで移動させることができる。
【図面の簡単な説明】
【０００７】
【図１】本発明のタイトフレーム溶接火花を養生する養生装置の実施例の説明図。
【図２】養生装置の車輪を配置の実施例の説明図。
【図３】養生装置の端面図。
【図４】梁とタイトフレームの溶接状態の説明図。
【発明を実施するための形態】
【０００８】
以下図面を参照にしながら本発明のタイトフレーム溶接火花の養生装置と養生方法の好適な実施の形態を詳細に説明する。
【実施例】
【０００９】
＜１＞前提条件。
Ｈ鋼など天井の梁に、折板屋根を取り付ける場合に、梁と折板屋根を直接ボルト固定するのではなく、図４に示すように、梁ａの上にタイトフレームｂと称する凹凸が連続した帯板を溶接して、その上に折板屋根を取り付ける方法が一般である。
しかし本発明は図１に示すように、タイトフレーム１を梁２に直接溶接するのではなく、梁２の上に梁２の長手方向に平行して断面が矩形の取付桁３を固定し、その取付桁３の上面にタイトフレーム１を溶接する構造を対象とするものであり、その際に使用する養生装置である。
取付桁３は鋼製の断面矩形の部材であるから、その上面には溶接面３１を、両側には立面３２を備えている。
一方梁２は、例えば断面がＨ字状の鋼材であり、その平滑な上面を、本発明の容器４の走行面２１として使用する。
【００１０】
＜２＞容器。
本発明の養生装置は、容器４と各種の車輪５１、５２、５３とによって構成する。
容器４は、梁２の上に搭載して梁２の上面である走行面２１を移動できる鋼製の箱体である。
その容器４は、底板４１と両側の壁板４３と一方の妻板４２で構成し、上面と他方の妻板部分は開放して構成する。
底板４１には、取付桁３が露出できる開口部４４を備える。
したがって開口部４４の幅は取付桁３の幅とほぼ等しく、長さは底板４１の全長にわたって開口する。
容器４の一方に設けた妻板４２は、その下部に取付桁３の断面とほぼ等しい切欠き４５を形成し、取付桁３の上からかぶせることができるように構成する。
また、容器４の一方と対峙する妻側は、開放してあるが、底板４１に設けた開口部４４の幅を一定に保つために、両側の壁板４３どうしを繋ぐ間隔保持材４６を設ける。
【００１１】
＜３＞車輪。
容器４の移動のために、容器４には３種類の車輪を取り付ける。
すなわち、底板４１の下面には、梁２上面の走行面２１を走行する梁上車輪５１を、水平軸で取り付ける。
また底板４１の下面には、取付桁３の側面である立面３２を走行する側面車輪５２を、鉛直軸で取り付ける。
また妻板４２の外側には、取付桁３の上の溶接面３１を走行する桁上車輪５３を、水平軸で取り付ける。
各種の車輪は２組以上を設け、梁上車輪５１では梁２上の走行面２１を、桁上車輪５３では取付桁３の溶接面３１を走行して容器４の移動を行う。
さらに側面車輪５２が、取付桁３の両側の立面３２を滑動することで、容器４の走行方向を案内することができる。
【００１２】
＜４＞養生方法。
前記の装置を使用して、容器４の底板４１の開口部４４から露出した取付桁３の溶接面３１にタイトフレーム１を溶接するに際して発生する溶接火花養生をする方法を説明する。
梁上車輪５１と、桁上車輪５３を利用して、容器４を梁２の軸方向に移動させる。
この移動は、容器４が軽量であるから、作業員の人力によっても容易に行うことができる。
溶接個所を容器４の妻板４２の近くに位置させて、開口部４４から露出した取付桁３の溶接面３１にタイトフレーム１を溶接する。
溶接の火花は、妻板４２と両側の壁板４３の上に飛散するだけで、その外部へ飛散することがなく、十分に養生をすることができる。
開口部４４に露出する取付桁３に一定の距離だけタイトフレーム１の溶接が終わったら、再度容器４の側面車輪５２で走行する方向を案内させつつ、梁上車輪５１、桁上車輪５３で梁２と取付桁３の上を走行させて次の溶接範囲に至る。
【符号の説明】
【００１３】
１：タイトフレーム
２：梁
３：取付桁
４：容器
５１：梁上車輪
５２：側面車輪
５３：桁上車輪
【図１】
0006383668.tif 000002
【図２】
0006383668.tif 000003
【図３】
0006383668.tif 000004
【図４】
0006383668.tif 000005